(57)【要約】      （修正有）【課題】頭部がネジ切られトルク管理が終了したトルクビス（固定手段）の破断面を覆う固定手段のキャップを提供する。【解決手段】ボルト頭と雄ネジ１３０と、ボルト頭と雄ネジ１３０とを連結する連結部とを備え、所定のトルクで破断したボルト頭部位を収容する固定手段のキャップにおいて、ボルト頭が切断された雄ネジ１３０の上面を覆う底部２００と、連結部を覆う側部３００とを有し、側部３００の対向する位置には、連結部に係止する爪部が各々設けられ、一方の爪部３１０ａは、底部２００方向に、側部３００に少なくとも二つのスリット３３０を入れて形成するとともに、一方の爪部３１０ａの突出部を他方の爪部の突出部より、多くする。【選択図】図７
2015108397.tif 000002
【特許請求の範囲】
【請求項１】
ボルト頭と雄ネジと、該ボルト頭と該雄ネジとを連結する連結部とを備え、所定のトルクで破断したボルト頭部位を収容する固定手段のキャップにおいて、
前記ボルト頭が切断された前記雄ネジの上面を覆う底部と、前記連結部を覆う側部とを有し、
前記側部の対向する位置には、前記連結部に係止する爪部が設けられ、
一方の前記爪部は、前記底部方向に、前記側部に少なくとも二つのスリットを入れて形成するとともに、該一方の前記爪部の突出を他方の前記爪部の突出より、多くすることを特徴とする固定手段のキャップ。
【請求項２】
前記一方の前記爪部は、該一方の前記爪部の端部の肉厚を、他方の前記爪部の端部の肉厚より厚く形成していることを特徴とする請求項１記載の固定手段のキャップ。
【請求項３】
前記一方の前記爪部は、前記側部の肉厚より厚く形成されていることを特徴等する請求項１または２記載の固定手段のキャップ。
【請求項４】
前記スリットが形成された以外の前記側部の内壁は、破断したボルト頭部位を収容した時に、前記連結部の周縁が接する径を有することを特徴とする請求項１記載の固定手段のキャップ。
【発明の詳細な説明】
【技術分野】
【０００１】
本発明は、固定手段のキャップに関するものであり、例えば、管継手により電線管（配管）同士を固定する固定手段のキャップに関するものである。
【背景技術】
【０００２】
電線管（配管）を接続するものとして管継手がある。特許文献１のように、これら電線管は、管継手に電線管（配管）を挿入して、ボルト等の固定手段により固定されて、接続する。なお、以下、から電線管とよぶ。
【０００３】
この接続作業では、各電線管に対し均一に接続する必要、つまり、ボルトの締付けを一定に管理する必要がある。このため、規定のトルク（締付力）が加わるとボルトの当部がネジ切れるトルクビスが用いられている。
【先行技術文献】
【特許文献】
【０００４】
【特許文献１】特願２０１３−０６５４９１号
【０００５】
【特許文献２】特開２０００−１０４７２１号公報
【発明の開示】
【発明が解決しようとする課題】
【０００６】
しかし、特許文献１に記載された構成の場合、トルク管理が終了したトルクビスは、当部がネジ切られているため、破断面が露出してしまうという問題がある。
【課題を解決するための手段】
【０００７】
上記の問題を解決するために、本発明は、請求項１記載の発明においては、ボルト頭と雄ネジと、該ボルト頭と該雄ネジとを連結する連結部とを備え、所定のトルクで破断したボルト頭部位を収容する固定手段のキャップにおいて、ボルト頭が切断された雄ネジの上面を覆う底部と、連結部を覆う側部とを有し、側部の対向する位置には、連結部に係止する爪部が設けられ、一方の爪部は、底部方向に、側部に少なくとも二つのスリットを入れて形成するとともに、該一方の爪部の突出を他方の爪部の突出より、多くすることを特徴とする。
【０００８】
また、請求項２記載の発明においては、一方の爪部は、該一方の爪部の端部の肉厚を、他方の前記爪部の端部の肉厚より厚く形成していることを特徴とする。さらに、請求項３記載の発明においては、一方の前記爪部は、前記側部の肉厚より厚く形成されていることを特徴等する
【０００９】
さらに、また請求項３記載の発明においては、スリットが形成された以外の前記側部の内壁は、破断したボルト頭部位を収容した時に、連結部の周縁が接する径を有することを特徴とする。
【発明の効果】
【００１０】
このように、一定のトルクでねじり切ることができるボルト頭を底部と側部とにより、上記問題を解決することができる。特に、側部の対向する位置に設け、一方の爪部を、底部方向に、側部に少なくとも二つのスリットを入れて形成するとともに、該一方の爪部の突出を他方の爪部の突出より、多くする構成により、ボルト頭が破断した固定手段にキャップを容易に取り付けることができる。
【図面の簡単な説明】
【００１１】
【図１】本発明に適用した固定手段の概略図。
【図２】本発明の固定手段のキャップの概略図であり、（ａ）は上面図、（ｂ）は側面図、（ｃ）はＡ−Ａ断面図を示す。
【図３】本発明の固定手段のキャップを固定手段に取り付けている状態をＡ−Ａ断面図から見た図。
【図４】本発明の固定手段のキャップを固定手段に取り付けた状態を図１のＢ−Ｂ断面図から見た図。
【図５】本発明の固定手段のキャップの変形例を示す図。
【図６】本発明の固定手段のキャップを示す図。
【図７】図６の状態から固定手段に取り付けた状態を示す図
【発明を実施するための最良の形態】
【００１２】
以下、本発明の実施の形態を図面に基づいて説明する。図１に、本発明の固定手段のキャップの概略図を示す。なお、以下の説明で、本発明の固定手段のキャップを「キャップ」と呼ぶ。
【００１３】
図1に示すように、先ず、この実施の形態で適用される固定手段は、ボルト頭１１０と雄ネジ１３０と、該ボルト頭１１０と該雄ネジ１３０とを連結する連結部１２０とを備え、ボルト頭１１０を一定のトルクでねじると、ボルト頭１１０がねじり切る構成とした、トルクビスである。
【００１４】
連結部１２０は、ボルト頭１１０がねじ切られた後に、キャップの装着・着脱、雄ネジ１３０の締め付け作業・緩み作業を行うものであり、図３、４に示すように、凹状に形成されている。
【００１５】
具体的に、連結部１２０は、凹んでいる部位に当たる係止部１４０と、ボルト頭１１０側に突出した部位に当たる操作部１５０とからなる。
【００１６】
図３、４に示すように、係止部１４０は、本発明の固定手段のキャップ爪が係止するものであり、雄ネジ１３０の径よりも小さくなっている。操作部１５０は、レンチ（スパナ）により雄ネジ１３０の締め付け・緩み作業を行うものであり、雄ネジ１３０の径と同一または少し大きくなっている。
【００１７】
さらに、操作部１５０の外周縁は、雄ネジ１３０の締め付け・緩み作業が行いやすいように、雄ネジ１３０の締め付け方向に、所定のピッチでギザギザが設けられている。
【００１８】
次に、キャップを説明する。このキャップは、図２に示すように、ボルト頭１１０が切断された雄ネジ１３０の上面を覆う底部２００と、連結部１２０を覆う側部３００とからなる。
【００１９】
側部３００の内壁（内径）は、破断したボルト頭１１０部位を収容した時に、操作部１５０の周縁に接する径を有する。この構成により、キャップを、ボルト頭１１０が破断した固定手段（以下、「トルクビス１００」とよぶ）に取り付けたときに、図に示すように、側部３００の内壁が、操作部１５０のギザギザによって傷つけられ、キャップの回転防止及び抜け防止を行うことができる。
【００２０】
さらに、側部３００の対向する位置には、連結部１２０に係止する爪部３１０（３１０ａ、３１０ｂ）が設けられている。各々の爪部３１０ａ、３１０ｂの先端（キャップの取付側）は、係止部１４０に係止する突出部３２０（３２０ａ、３２０ｂ）を備える。
【００２１】
図２（ｂ）に示すように、一方の爪部３１０ａは、キャップの取付側から底部２００方向に、少なくとも二つのスリット３３０を入れて形成している。この構成により、トルクビス１００にキャップを取り付けるときに、一方の爪部３１０ａが弾性変形して、取り付け作業を容易にすることができる。
【００２２】
なお、スリット３３０は、爪部３１０ａを一つ設けるために、側部３００に二つも設けられているが、これに限定されることはなく、スリット３３０を三つ以上も設けて爪部３１０ａを二つ以上にしても良い。
【００２３】
また、図３に示すように、キャップ内にと向かい合う一方の爪部３１０ａの係止部１４０先端部位は、キャップ装着した時、トルクビス１００への座りを良くし、安定した取付けができるように、面取りされている。
【００２４】
さらに、図２および３では、スリット３３０の切込み位置および深さにより、爪部１３０ａの幅を適宜に変更して、弾性変形の大きさを、行っているが、図５に示すように、一方の爪部３１０ａの肉厚を厚くして、キャップを装着した後のキャップ自身の変形を抑えるようにしてもよい。
【００２５】
この構成により、キャップの取り付け作業の容易化と、キャップがトルクビス１００から外れにくくすることができる。
【００２６】
他方の爪部３１０ｂは、側部３００の周縁に突出して設けられている。さらに、図２および３のように、突出部３２０ｂは、係止部１４０の形状に嵌る形状となっている。
【００２７】
また、図６に示すように、キャップは、一つのランナー４００に、複数のゲート５００を備え、各ゲート５００にキャップが付いているように、射出形成されている。
【００２８】
さらに、図７に示すように、ゲート５００は、トルクビス１００にキャップを装着した後、引っ張ると、キャップがランナー４００から分離するようになっている。
【００２９】
このように、ランナー４００に複数形成されたキャップを、トルクビス１００に装着した後、装着したキャップをランナー４００から分離することにより、特に、トルクビス１００が小さい場合、作業中に落下や紛失等を防止することができる。
【００３０】
以上の構成の下、キャップをトルクビス１００に装着する場合には、ゲート５００を介してランナー４００につながったキャップ（図）の他方の突出部３２０ｂを係止部１４０に嵌め込んで係止させる。
【００３１】
次いで、一方の突出部３２０ａを係止部１４０に嵌め込む。この時、二つのスリット３３０で、所定の幅に形成された一方の爪部３１０ａは、キャップの外方に弾性変形し、さらに、突出部３２０ａの先端が面取りされているため、スムーズに、トルクビス１００にキャップに装着することができる。
【００３２】
トルクビス１００に装着したキャップは、図に示すように、引っ張ることにより、ランナーから分離して、キャップの装着作業が完了する。
【産業上の利用可能性】
【００３３】
ボルト頭が切断された雄ネジの上面を覆う底部と、連結部を覆う側部とを有し、側部の対向する位置には、連結部に係止する爪部が設けられ、一方の爪部は、底部方向に、側部に少なくとも二つのスリットを入れて形成するとともに、該一方の爪部の突出を他方の爪部の突出より、多くすることにより、固定手段のキャップの装着を容易に行うことができる。
【符号の説明】
【００３４】
１００  トルクビス（固定手段）
１１０  ボルト頭
１３０  連結部
１４０  係止部
１５０  操作部
２００  底部
３００  側部
３１０  爪部
３２０  突出部
３３０  スリット
４００  ランナー
５００  ゲート
【図１】
2015108397.tif 000003
【図２】
2015108397.tif 000004
【図３】
2015108397.tif 000005
【図４】
2015108397.tif 000006
【図５】
2015108397.tif 000007
【図６】
2015108397.tif 000008
【図７】
2015108397.tif 000009